(57)【特許請求の範囲】
【請求項１】
少なくとも１つ以上の集中制御装置と、該集中制御装置により制御可能な少なくとも２つ以上の被制御装置とを有し、それら各装置の間において通信を行う医療用システムにおいて、
前記集中制御装置は、
前記医療用システムが用いられる手術室の外部において取得されたバイタルサイン情報を、該手術室の外部に接続される通信回線を介して受信可能な通信手段と、
前記被制御装置が動作しているか否かを検出し、前記被制御装置が動作していることを検出した場合には、前記バイタルサイン情報の受信を拒否し、前記被制御装置が動作していないことを検出した場合には、該バイタルサイン情報に応じた設定を前記被制御装置に対して行い、かつ、前記バイタルサイン情報を表示手段に表示させる制御を行う制御手段と、
を具備したことを特徴とする医療用システム。
【請求項２】
前記被制御装置は、少なくとも気腹装置を具備することを特徴とする請求項１の医療用システム。
【発明の詳細な説明】
【０００１】
【発明の属する技術分野】
本発明は、複数の医療機器を駆動制御する医療用システムに関する。
【０００２】
【従来の技術】
医療分野において内視鏡が果たす役割は大きく、近年では内視鏡を用いた外科手術なども行われている。内視鏡外科手術では、腹腔を膨張させるために用いる気腹装置や、生体組織を切除、あるいは凝固する手技を行うための高周波焼灼装置といった手術用装置を内視鏡装置に併用することによって、内視鏡で患部を観察しながら各種外科手術処置を行うことができる。
【０００３】
従来の医療情報システムは、緊急の患者が搬送されてくるとき、患者情報を伝える手段が制限されていた。特に、集中制御システムは院内ネット上で、携帯端末を使用して各種設定することも可能であったが、院外からの設定や、その他の医療情報、特にバイタルサインデータの配信はネットワーク上でしかできなかった。そのため緊急車両等で搬送されてから手術治療までの間の準備時間がかかり、患者への対応が遅延する事があった。
【０００４】
この内視鏡装置および手術用装置を集中制御して操作性の向上を目的とした様々な内視鏡手術システムが試みられており、例えば、特願２００１−２６９３０４号出願には、遠隔操作による内視鏡装置や手術用装置の初期設定を行う医療機器制御装置が提案されている。
【０００５】
【発明が解決しようとする課題】
上記特願２００１−２６９３０４号出願に提案されている医療機器制御装置は、複数の医療機器をシリアル通信により集中制御する集中制御装置により、前記医療機器を管理することができると共に、集中制御装置のネットワークインターフェースが遠隔地や院内ＬＡＮからの医療情報を取得でき、携帯情報端末等を用いて別の部屋からでも簡単に情報を得ることができるようになっている。
【０００６】
しかしながら、このような医療機器制御装置は、医療機器の使用中に意図しない設定情報が送られてきたときに、例えば、気腹装置や高周波焼灼装置等の手術用装置の設定条件が変化すると、手術の進行の妨げになる可能性があった。
【０００７】
本発明は、上記課題に鑑みなされたもので、医療機器の制御設定を遠隔に実施できると共に、医療機器が使用中である場合には、その医療機器の制御設定情報が受信されても使用行為に影響を与えることのなく継続使用できるようにした医療機器の制御装置と、複数の周辺機器を制御する院内ネットで接続されている集中制御システムにおいて、緊急車両から搬送されてくる患者情報を院内ネットワークと通信し、緊急手術までの準備を効率よくすることを目的とする。
【０００８】
【課題を解決するための手段】
本発明の医療用システムは、少なくとも１つ以上の集中制御装置と、該集中制御装置により制御可能な少なくとも２つ以上の被制御装置とを有し、それら各装置の間において通信を行う医療用システムにおいて、前記集中制御装置は、前記医療用システムが用いられる手術室の外部において取得されたバイタルサイン情報を、該手術室の外部に接続される通信回線を介して受信可能な通信手段と、前記被制御装置が動作しているか否かを検出し、前記被制御装置が動作していることを検出した場合には、前記バイタルサイン情報の受信を拒否し、前記被制御装置が動作していないことを検出した場合には、該バイタルサイン情報に応じた設定を前記被制御装置に対して行い、かつ、前記バイタルサイン情報を表示手段に表示させる制御を行う制御手段と、を具備したことを特徴とする。
【０００９】
本発明の医療用システムによれば、医療機器の制御設定情報を遠隔地から伝送送信できると共に、医療機器の使用時には、制御設定情報の受信に影響されることなく、医療機器の継続使用が可能となる。
【００１０】
【発明の実施の形態】
以下、図面を参照して本発明の実施の形態について詳細に説明する。最初に図１乃至図５を用いて、本発明の第１の実施形態を説明する。図１は本発明に係る医療機器の制御装置の第１の実施形態の全体構成を示すブロック図、図２は本発明に係る医療機器の制御装置に用いる内視鏡手術システムの構成を示すブロック図、図３は本発明に係る医療機器の制御装置に用いる携帯情報端末の機能を説明する説明図、図４は本発明に係る医療機器の制御装置に用いる携帯情報端末機と集中制御装置との構成を示すブロック図、図５は本発明に係る医療機器の制御装置の動作を説明するフローチャートである。
【００１１】
最初に図１を用いて本発明の医療機器の制御装置の全体構成を説明する。病院Ａ、Ｂには、電話回線、光ファイバー、またはＩＳＤＮ等を用いてＷｅｂサーバを介してインターネットに接続されるサーバーがそれぞれ設けられている。
【００１２】
この病院Ａのサーバーには、院内ＬＡＮを介して、手術室に設置されている内視鏡手術システムの集中制御装置１６に接続されている。また、この集中制御装置１６には、無線または赤外線通信接続される携帯情報端末Ａ３７が設けられている。
【００１３】
また、病院Ｂのサーバーには、図示していないが病院Ａと同様に内視鏡手術システムと院内ＬＡＮに接続されたアクセスポイントと、このアクセスポイントと無線または赤外線通信接続される携帯情報端末Ｃ３９が設けられている。
【００１４】
前記電話回線、光ファイバー、またはＩＳＤＮには、無線または赤外線通信アクセス可能なアクセスポイント（ＡＰ）が設けられており、このアクセスポイント（ＡＰ）には、救急車両４０に設けられている携帯情報端末Ｄ４５と接続可能となっている。
【００１５】
救急車両４０には、患者４１の心電図、脈拍、血圧等バイタルサイン情報を測定できる患者モニタ装置一式４２と、簡易内視鏡用光源装置、簡易内視鏡用カメラ装置、簡易内視鏡等の簡易内視鏡システム一式４３と、それら患者モニタ装置一式４２と簡易内視鏡システム一式４３を駆動制御する集中制御装置４４とが備えられ、この集中制御装置４５は、インターフェースを介して前記携帯情報端末Ｄ４５接続されるようになっている。
【００１６】
前記病院Ａの手術室に設置されている内視鏡手術システムについて、図２を用いて説明する。内視鏡手術システム１は、患者２が横たわる患者ベッド３を中心に第１カート４と第２カート５に分かれている。
【００１７】
第１カート４には、医療機器として、例えば電気メス６、気腹装置７、内視鏡用カメラ装置８、光源装置９、ＶＴＲ１０の装置類と、炭酸ガス等を充填したガスボンベ１１が載置されている。電気メス６と気腹装置７には、ケーブルを介して、電気メスや気腹器に接続され、内視鏡用カメラ装置８は、カメラケーブルを介して第１の内視鏡１２に接続される。
【００１８】
また、前記第１カート４には表示装置１３、集中表示パネル１４、操作パネル１５等が載置されており、表示装置１３は、第１の内視鏡１２で撮像した内視鏡画像等を表示する、例えばＴＶモニタであり、集中表示パネル１４は、術中のあらゆるデータを選択的に表示させることが可能な表示手段で、操作パネル１５は、例えば液晶ディスプレイ等の表示部とこの表示部上に一体的に設けられた、例えばタッチセンサーにより構成され、非滅菌域にいる看護婦等が操作する集中操作装置になっている。
【００１９】
さらに第１カート４には、集中制御装置１６が載置されており、この集中制御装置１６によって、上述の電気メス６、気腹装置７、内視鏡用カメラ装置８、光源装置９、及びＶＴＲ１０とが、図示しない通信線を介して接続されている。この集中制御装置１６は、シリアル通信インターフェースおよび赤外線通信インターフェースを内蔵し、赤外線通信インターフェースの一部である赤外線通信ポート１９にケーブル２０を介して接続されている。
【００２０】
一方、前記第２カート５には、内視鏡用カメラ装置２１、光源装置２２、画像処理装置２３、表示装置２４および集中表示パネル２５とが載置されている。
【００２１】
内視鏡用カメラ装置２１は、カメラケーブルを介して第２の内視鏡２６に接続されると共に、光源装置２２は、ライトガイドケーブルを介して第２の内視鏡２６に接続されている。表示装置２４は、内視鏡用カメラ装置２１で捉えた内視鏡画像等を表示し、集中表示パネル２５は、術中のあらゆるデータを選択的に表示させることが可能になっている。
【００２２】
この内視鏡用カメラ装置２１、光源装置２２、画像処理装置２３とは、第２カート５に載置された中継ユニット２８に図示しない通信線を介して接続されている。この中継ユニット２８は、中継ケーブル２９によって、前記第１カート４に搭載されている集中制御装置１６に接続されている。
【００２３】
患者ベッド３の近傍に設けられているリモートコントローラ３０は、滅菌域にいる執刀医等が操作する第２集中操作装置であり、このリモートコントローラ３０から入力操作により、集中制御装置１６を介して内視鏡手術システム１を操作することができるようになっている。
【００２４】
次に、前記携帯情報端末Ａ３７，Ｃ３９，Ｄ４５の構成について、図３を用い説明する。なお、携帯情報端末Ａ３７，Ｃ３９，Ｄ４５は、携帯情報端末３１として説明する。携帯情報端末３１は、内視鏡手術システム１を遠隔操作する第３の集中操作装置であり、例えばＰＤＡなどである。この携帯情報端末３１には、集中制御装置１６とワイヤレス通信を強化する赤外通信アダプタが内蔵されている。
【００２５】
さらに電話回線を用いて音声などの情報のやり取りが可能なモデム拡張ボード３３や、写真撮影、画像を取り込み、画像処理などの機能を持つフォト拡張ボード３２が拡張スロットに格納可能となっている。また、電話回線やＩＳＤＮなどの通信を行うときは、図示しない有線を用いて接続させたり、アクセスポイント３４を介して無線回線に接続しネットワーク通信をする構成である。
【００２６】
この携帯情報端末３１には、特定のプログラムで作成されたアプリケーション３５としてリモコン機能、画像処理、電話、病院情報、ネットワーク設定、モデム設定、初期設定等のアプリケーションプログラムが設定されている。
【００２７】
図中の符号３６で示すインターフェースメニューや、データベースメニューにより、画面が切り替わり、図示しない通信操作画面、データベース閲覧画面に切り替わるように構成されている。
【００２８】
このような携帯情報端末３１と前記集中制御装置１６の内部構成を図４を用い説明する。携帯情報端末３１は、制御部４６とデータの保存できる書き換え可能な記憶手段４９と、通信Ｉ／Ｆ５０とユーザーＩ／Ｆ５２で構成されている。
【００２９】
前記集中制御装置１６は、制御手段５３と、データの保存できる記憶手段５６と、通信Ｉ／Ｆ５７とで構成されている。ただし、記憶手段５６は、アプリケーションの制御プログラムが格納されており、さらに使用可能機器ＩＤアドレスをリモコン用、通信用毎とに分類してデータベース化して格納しておくことができる構成である。なお、前記緊急車両４０に設置されている集中制御装置４４は、この集中制御装置１６とほぼ同じ構成となっている。
【００３０】
このような構成の内視鏡手術システムによる内視鏡手術を行うにあたり、図２に示した内視鏡手術システム１のセッティングを行い、気腹装置７でガスボンベ１１からのＣＯ２ガスを送気させ、患者２の体腔内を膨らまし、内視鏡の視野を確保したり、本手術作業にて、集中制御装置１６が気腹装置７にポーリングして内部情報を取得し、集中表示パネル１４に気腹装置７の動作状態を表示させているが、そのガスボンベ１１からの送気情報と測定圧情報の値により、内視鏡手術中であることを集中制御システム１６は認識できる。
【００３１】
また、光源装置９からの光を患者体腔内に導光させ、照らされた体腔内を第１の内視鏡１２で撮像し、内視鏡カメラ装置８で生成した撮像画像を集中表示装置１３に表示させてモニタする共に、電気メス６を用いて患部の治療を行う。
【００３２】
この各種医療機器６乃至１５の駆動制御を前記集中制御装置１６によって管理される。この各種医療機器６乃至１５の設定値／測定値を集中表示パネル１４に表示させ、操作パネル１５で選択されたコマンドを認識し、それを各種医療機器６乃至１５に反映させている。また、中継ユニット２８を介して、第２のカート内の内視鏡用周辺機器２１乃至２５も管理する。
【００３３】
このような構成の携帯情報端末機３１を用いた集中制御装置１６，４４に制御用ソフトウェアをダウンロードする初期設定と、手術前後にネットワーク通信を使用するときの通信制限方法の動作について図５を用いて説明する。
【００３４】
集中制御装置１６の電源をオンし、初期設定モードをスタートさせると、ステップＳ１で集中制御装置１６で制御管理する各種医療機器のＩＤアドレスを記憶手段５６に登録する。次に、ステップＳ２で集中制御装置１６の初期設定モードを読み出しスタートさせ、ステップＳ３で携帯情報端末３１の通信インターフェースを集中制御装置１６と通信可能なもの、例えばＵＳＢに切り替え、リモートコントロール用アプリケーションをダウンロードさせ、携帯情報端末３１のもつＩＤアドレスを集中制御装置１６に登録する。
【００３５】
次にステップＳ４でアプリケーション起動時のパスワードを設定し、リモートコントロール制御機能が有効な機器になる。
【００３６】
なお、このステップＳ１〜Ｓ４の行為は、集中制御装置１６と携帯情報端末３１との間に限らず、緊急車両４０の集中制御装置４４と携帯情報端末４５との間においても同様な処理が実行される。
【００３７】
次にステップＳ５で手術室内の集中制御装置１６、ステップＳ６で緊急車両４０内の集中制御装置４４の各種制御データの送受駆動機能がオンされる。
【００３８】
次に、ステップＳ７で、上記ステップＳ１〜Ｓ６までの集中制御装置１６，４４の初期設定が終了し、それぞれの集中制御装置１６，４４がアクセスポイントにアクセスできるようになっているか判定されれ、アクセスできない場合は、ステップＳ０から再度初期設定が実行される。
【００３９】
ステップＳ７で初期設定済みであると判定されると、ステップＳ８で、送信内容の確認作業が実行される。
【００４０】
ここで、緊急車両４０の患者モニタ装置一式４２は、患者の脈拍、体温、心電図等の生態情報をモニタリングしており、このモニタリング測定された生態情報をバイタルサイン測定データとして保管管理がなされる。
【００４１】
一方、病院側では、救急車両４０で保管管理されているバイタルサイン測定データを基に救急隊員に対する助言や搬送された患者の治療に必要な医療方法や医療機器及び医療機器の初期設定準備が可能となる。
【００４２】
そこで、ステップＳ８で、救急車両４０の集中制御装置４４は、患者モニタ装置一式４２で測定した生態情報データと、患者の氏名、年齢、性別等の患者情報と、使用薬品情報等からなるバイタルサイン情報のデータファィル化する。
【００４３】
このバイタルサイン情報データは、ステップＳ９で、緊急車両４０の携帯情報端末Ｄ４５からアクセスポイントＡＰを介して、病院のサーバを介して、例えば病院Ａの集中制御装置１６に一括送信する。
【００４４】
この緊急車両４０から送信されたバイタルサイン情報データは、ステップＳ１０で前記病院内サーバから院内ＬＡＮを介して、手術室の集中制御装置１６に受信される。または、手術室に設けられている携帯情報端末Ａ３７から集中制御装置１６に受信される。
【００４５】
この携帯情報端末Ａ３７には、通信インターフェースの中に、赤外通信あるいは「Ｂｌｕｅｔｏｏｔｈ（登録商標）」でのワイヤレス通信が可能で、集中制御装置１６に設けてある赤外通信ポート１９と赤外線通信インターフェースを介して、集中制御装置１６と通信される。なお、緊急車両４０の携帯情報端末Ｄ４５にも同様な通信インターフェースを有している。
【００４６】
この緊急車両４０から送信されたバイタルサイン情報データの受信時に、ステップＳ１１で手術室内の集中制御装置１６が他の患者の治療手術のために使用中であるか判定する。この集中制御装置１６の使用中判定は、患者の治療手術時には、気腹装置７が駆動されている。従って、気腹装置７の送気駆動のオン／オフいずれであるか判定し、気腹装置７が動作中、すなわち手術中であると認識すると、前記緊急車両４０からのバイタルサイン情報データの受信を拒否する。
【００４７】
この気腹装置７の送気駆動がオフであると判定されると、ステップＳ１２で、緊急車両４０から送信されたバイタルサイン情報データを取り込み集中制御装置１６の記憶手段５６に書込記憶させる。
【００４８】
この集中制御装置１６に取り込み記憶された緊急車両４０からのバイタルサイン情報データは、制御部５３の制御の基で、読み出され、かつ、図示していないキャラクタジェネレータなどを介して、内視鏡手術システム１の表示装置１３に生体情報等の表示を行い、さらに、内視鏡手術システム１の各種医療機器６〜１０，２１〜２３の初期動作設定を行う。
【００４９】
前記表示装置１３に表示された生態情報を基に担当医は、緊急車両４０に対して治療や生態情報測定の指示が行われる。
【００５０】
次にステップＳ１３で、患者を病院に搬送後、集中制御装置１６に意図しないデータが送信受信された場合は、ステップＳ１４で、気腹装置７の駆動状態を判断し、気腹装置７が非駆動状態の場合は、バイタルサイン情報データの更新データであるために前記ステップＳ１２に戻り、気腹装置７が駆動状態の場合は、データの受信を拒否する。
【００５１】
以上説明したように、本発明の第１の実施形態では、緊急車両の患者モニタ装置一式４２で測定した生態情報データと患者データからなるバイタルサイン情報データを管理する集中制御装置から携帯情報端末を用いて病院の手術室に設けられている各種医療機器の集中制御装置に送信する。この緊急車両から送信されたバイタルサイン情報データを受信した病院手術室の集中制御装置は、受信したバイタルサイン情報データの基で、患者の生態情報を表示装置に表示して、担当医の指示助言を緊急車両に対して行うと共に、緊急車両で搬送されてくる患者の治療手術のために、前記バイタルサイン情報データを基に集中制御装置の制御により手術室内の各種医療機器の初期設定を行うことが可能となった。
【００５２】
また、手術室内の各種医療機器が他の患者の治療手術のために使用中の場合は、集中制御装置の気腹装置の駆動状態を判定することで、緊急車両からのバイタルサイン情報データの受信可否判定や患者の受け入れ判定が可能となった。
【００５３】
また、Ｗｅｂサーバー上での各病院の空き情報、設備情報がデータベース化され、携帯情報端末の画面を操作し病院情報アプリケーションを使うと最新の病院の緊急患者の受け入れ情報を得られ、もし仮に誤って緊急患者の情報を送信されても、手術中であることを自動的に判断し、誤った設定を排除でき、安全性を高めることが可能となった。
【００５４】
次に、本発明の第２の実施形態を図７〜図８を用いて説明する。最初に図７を用いて、この第２の実施形態の全体構成を説明する。
【００５５】
緊急車両４０には、前述したように、患者モニタ装置一式４２、簡易内視鏡システム一式４３、治療装置６０、及び前記患者モニタ装置一式４２と簡易内視鏡システム一式４３と治療装置６０の駆動を制御する集中制御装置４４とが備えられている。
【００５６】
この緊急車両４０には、前記患者モニタ装置一式４２で測定した患者４１の生態情報を含むバイタルサイン情報データを前記簡易内視鏡システム一式４３で撮像生成した内視鏡撮像画像信号に重畳して送信するバイタルサイン情報送信用の携帯情報端末６５と、前記集中制御装置４４を介して、前記患者モニタ装置一式４２、簡易内視鏡システム一式４３、及び治療装置６０を遠隔制御するリモートコントロール用携帯情報端末６６とが設けられている。
【００５７】
さらに、前記緊急車両４０の集中制御装置４４は、遠隔地にて患者モニタ装置一式４２で測定生成したバイタルサイン情報データを、前記簡易内視鏡システム一式４３で撮像生成した内視鏡撮像信号に重畳して送信された情報を受信する携帯情報端末６７と、この携帯情報端末６７で受信した内視鏡撮像信号とバイタルサイン情報データを表示する液晶等のモニタ６４からなっている。
【００５８】
このような構成の緊急車両４０に設けられた集中制御装置４４の動作を図８を用いて説明する。
【００５９】
ステップＳ１で、集中制御装置４４と携帯情報端末６５，６６、６７の駆動電源をオンさせると、ステップＳ２で、それぞれの携帯情報端末６５〜６７に適用されるアプリケーションのダウンロードが実行され、すべての携帯情報端末６５〜６７に、リモコン用Ｓ３ａ、音声・内視鏡画像処理用Ｓ３ｂ、もしくはバイタルサイン情報データ用Ｓ３ｃのアクセスポイントにアクセスできるように設定される。
【００６０】
次にステップＳ４で、集中制御装置４４に前記各アクセスポイントにアクセスする各携帯情報端末６５〜６７を専用携帯情報端末としてアドレス登録を行う。つまり、集中制御装置４４に各携帯情報端末６５〜６７の個別アドレスを登録させて、各アプリケーションの実行駆動制御できるように設定する。
【００６１】
このステップＳ４の携帯情報端末６５〜６７のアドレス設定が終了すると、ステップＳ５で、各アプリケーションの機能が有効に活用できるようになる。
【００６２】
次に、ステップＳ６で、集中制御装置４４は、各種設定情報や測定データ情報を一括送信し、ステップＳ７ａでリモコン用携帯情報端末６６を経由して、ステップＳ８ａの一括設定可能処理が実行され、患者用携帯情報端末を経由すると患者の容体を確認するための処理が実行され、音声・画像携帯情報端末を経由すると投薬・処置具準備するための処理が実行される。ステップＳ９で、それぞれの携帯情報端末の機能毎の準備可能となる。なお、図中のステップＳ９では、投薬・処置具準備の処置例を示している。
【００６３】
すなわち、緊急車両内や、オフィス内のような場所で、簡易内視鏡システムを用いて検査手術を行う場合、内視鏡像の表示や、バイタルサイン情報を携帯情報端末の画面で見ることができ、小型化することで狭い空間でも検査、処置が可能となる。また、各種担当者がそれぞれの担当情報を送受信できるため、効率よいシステムになる。
【００６４】
次に、本発明の第３の実施形態を図９〜図１０を用いて説明する。この第３の実施形態の構成は、患者４１の生態情報をモニタする患者モニタ装置一式４２と、簡易内視鏡システム一式４３と、及び治療装置６０とを簡易集中制御するホスト携帯情報端末７１と、このホスト携帯情報端末７１とのみ通信携帯情報端末７２と、前記患者モニタ装置一式４３と通信するバイタルサイン測定用拡張モジュールを有した携帯情報端末７３とで構成されている。
【００６５】
このバイタルサイン測定用拡張モジュールを有した携帯情報端末は７３に、拡張モジュール６８として、例えば、温度センサ６９とこの温度センサ６９の出力信号変換部７０を有する体温測定用モジュール等であり、前記患者モニタ装置一式４３と無線ＬＡＮ等の通信インターフェース経由で測定データを送信できるようになっている。
【００６６】
また、ホスト携帯情報端末７１並びにホスト携帯情報端末７１のみと通信可能な携帯情報端末７２の通信インターフェースは、「Ｂｌｕｅｔｏｏｔｈ（登録商標）」等の通信モジュールで構成されている。
【００６７】
つまり、ホスト携帯情報端末７１には、患者モニタ装置一式４２、簡易内視鏡システム一式４３、治療装置６０、及びホストのみ通信可能な携帯情報端末７２等の被制御機器が通信制御可能となる。
【００６８】
このような構成の簡易内視鏡システム４３で、患者４１の内視鏡治療を行う際には、図１０に示すように、ホスト携帯情報端末７１に被制御機器の初期設定を行う。そこでステップＳ１で、ホスト携帯情報端末７１に被制御装置のそれぞれのアドレスをメモリに登録して、各被制御機器を制御可能とし、かつ、被制御機器の各簡易制御プログラムをダウンロードする。次にステップＳ２において、各被制御機器の電源をオンし、ホスト設定を行う。
【００６９】
次に、ステップＳ３でホスト携帯情報端末７１のアプリケーションを起動し、ステップＳ４にてホスト携帯情報端末７１のリモコン制御コマンドを操作して、ホスト携帯情報端末７１と被制御機器間で双方向通信を確立させて、データ送信ができるようにする。
【００７０】
次にステップＳ５で、ホスト携帯情報端末７１から各被制御機器に一括初期設定が実行される。ステップＳ６にてホスト携帯情報端末７１の設定を解除し、被制御装置であったホストのみ通信用携帯情報端末７２を前述したホスト携帯情報端末７１と同様にホスト設定すると、集中制御装置を生成することができる。
【００７１】
つまり、携帯情報端末に、簡易リモートコントロールのアプリケーションソフトをダウンロードし、各被制御装置のアドレスを設定することで、簡単に集中制御装置としてコントロールすることができ、初期設定データの一括送信も安全にできるようになり、使いやすい内視鏡システムを提供できる。
【００７２】
［付記］
以上詳述した本発明の実施形態によれば、以下のごとき構成を得ることができる。
【００７３】
（付記１）
被制御装置に通信して制御可能な制御装置において、
所定の通信回線に接続され、該通信回線より情報を送受信可能な通信手段と、
前記被制御装置からの動作情報に基づいて、前記通信手段を制御する通信制御手段と、
を具備したことを特徴とする制御装置。
【００７４】
（付記２）
少なくとも１つ以上の集中制御装置で制御可能な少なくとも２つ以上の被制御装置を有し、それらの間で医療情報の通信を行うシステムにおいて、
前記送信手段が緊急車両内にある携帯情報端末とで手術室内の集中制御装置の間で、音声、画像、治療装置の設定値情報を送受信可能な送受信手段と、
手術中は、被制御装置の動作情報から手術中であることを認識させ、手術室外からの更新データの受信を制限する制限手段を設けたことを特徴とする制御装置。
【００７５】
（付記３）
緊急車両から、手術室内の被制御装置の設定値を一括して設定し、手術開始の時間を短縮させる、一括送信手段を設けたことを特徴とする付記２に記載の制御装置。
【００７６】
（付記４）
医療機器リモートコントロール用プログラムと、前記集中制御装置から配信される医療画像を受信するプログラムと、遠隔地からのネットワーク経由で通信される医療情報を受信するプログラムとをそれぞれ異なる携帯情報端末にダウンロードでき、前記各携帯情報端末からの入出力情報を集中制御装置で合成し、モニタに出力させることを特徴とする付記２に記載の制御装置。
【００７７】
（付記５）
専用プログラムをダウンロードし、前記集中制御装置としてのＩＰアドレスを登録することで、特定の携帯情報端末が前記被制御装置の集中制御装置となることを特徴とする付記２に記載の制御装置。
【００７８】
【発明の効果】
本発明によれば、複数の周辺機器を制御する院内ネットで接続されている集中制御システムにおいて、緊急車両から搬送されてくる患者情報を院内ネットワークと通信し、手術治療機器の初期設定が効率よく設定できる。
【００７９】
また、院外ネットワークのない場合、医療情報（バイタルサイン、周辺機器設定値）の通信も携帯情報端末を用いて実行でき、手術治療の初期設定の短縮が可能となった。
【図面の簡単な説明】
【図１】本発明に係る医療機器の制御装置の第１の実施形態の全体構成を示すブロック図。
【図２】本発明に係る医療機器の制御装置に用いる内視鏡手術システムの構成を示すブロック図。
【図３】本発明に係る医療機器の制御装置に用いる携帯情報端末の機能を説明する説明図。
【図４】本発明に係る医療機器の制御装置に用いる携帯情報端末機と集中制御装置との構成を示すブロック図。
【図５】本発明に係る医療機器の制御装置の動作を説明するフローチャート。
【図６】本発明に係る医療機器の制御装置に第２の実施形態の全体構成を示すブロック図。
【図７】本発明に係る医療機器の制御装置の第２の実施形態の動作を説明するフローチャート。
【図８】本発明に係る医療機器の制御装置に第３の実施形態の全体構成を示すブロック図。
【図９】本発明に係る医療機器の制御装置の第３の実施形態の動作を説明するフローチャート。
【符号の説明】
１…内視鏡手術システム
６…電気メス
７…気腹装置
８，２１…内視鏡カメラ装置
９，２２…光源装置
１２，２６…内視鏡
１３，２４…表示装置
１４，２５…集中表示パネル
１５…操作パネル
１６、４４…集中制御装置
３１，３７，３９，４５…携帯情報端末
４０…緊急車両
４１…患者
４２…患者モニタ装置一式
４３…簡易内視鏡システム一式
【図１】
0004129139.tif 000002
【図２】
0004129139.tif 000003
【図３】
0004129139.tif 000004
【図４】
0004129139.tif 000005
【図５】
0004129139.tif 000006
【図６】
0004129139.tif 000007
【図７】
0004129139.tif 000008
【図８】
0004129139.tif 000009
【図９】
0004129139.tif 000010